(57)【要約】【課題】タイトルのそれぞれ毎に視聴制限レベルが記憶されたデータベースを検索して視聴制限レベルを取得するときに、データベースを検索するときの所要時間を短くする。【解決手段】データベース１２においては、ディスク識別子は複数のジャンルのうちのどのジャンルに属するのかが示されている。そして、複数のジャンルのうちからユーザによって選択されたジャンルであるユーザジャンルを記憶するジャンル記憶手段２２を備え、データベースを参照して再生位置にある光ディスク７の視聴制限レベルが取得されるときには、データベース１２においては、ジャンル記憶手段２２に記憶されたユーザジャンルに属するディスク識別子を検索対象としてディスク識別子の検索が行われる。【選択図】  図１
2005116059.tif 000002
【特許請求の範囲】
【請求項１】
視聴制限レベルをタイトル等のような光ディスクを識別するディスク識別子に対応付けて記憶したデータベースがインターネット等の一般ユーザに使用可能な通信経路を介して接続され、前記データベースを参照することによって再生位置にある光ディスクに設定された視聴制限レベルを取得するとともに、取得した視聴制限レベルが再生を許可されたレベルとなるときには光ディスクを再生して得られた再生信号を出力し、前記取得した視聴制限レベルが再生を禁止されたレベルとなるときには再生信号の出力しない光ディスク再生装置において、
データベースにおいては、ディスク識別子は複数のジャンルのうちのどのジャンルに属するのかが示されており、
前記複数のジャンルのうちからユーザによって選択されたジャンルであるユーザジャンルを記憶するジャンル記憶手段と、
前記複数のジャンルの各々についての計数値が記憶されるとともに、視聴制限レベルの取得が行われたときには、視聴制限レベルが取得された光ディスクが属するジャンルに対応する計数値が更新されるジャンルカウンタと、
データベースから視聴制限レベルの取得を行った光ディスクのディスク識別子を記憶する識別子記憶手段とを備え、
データベースを参照して再生位置にある光ディスクの視聴制限レベルが取得されるときには、データベースにおいては、ジャンルカウンタの計数値が所定値を超えたジャンルに属するディスク識別子とジャンル記憶手段に記憶されたユーザジャンルに属するディスク識別子とを検索対象としてディスク識別子の検索が行われ、
ジャンルカウンタは、識別子記憶手段に記憶されていないディスク識別子に対応する視聴制限レベルが取得されたときには計数値が更新され、識別子記憶手段に記憶されているディスク識別子に対応する視聴制限レベルが取得されたときには計数値が更新されず、
識別子記憶手段へのディスク識別子の記憶は、ジャンルカウンタの計数値の更新の後に行われることを特徴とする光ディスク再生装置。
【請求項２】
視聴制限レベルをタイトル等のような光ディスクを識別するディスク識別子に対応付けて記憶したデータベースを参照することによって再生位置にある光ディスクに設定された視聴制限レベルを取得するとともに、取得した視聴制限レベルが再生を許可されたレベルとなるときには光ディスクを再生して得られた再生信号を出力し、前記取得した視聴制限レベルが再生を禁止されたレベルとなるときには再生信号を出力しない光ディスク再生装置において、
データベースにおいては、ディスク識別子は複数のジャンルのうちのどのジャンルに属するのかが示されており、
前記複数のジャンルのうちからユーザによって選択されたジャンルであるユーザジャンルを記憶するジャンル記憶手段を備え、
データベースを参照して再生位置にある光ディスクの視聴制限レベルが取得されるときには、データベースにおいては、ジャンル記憶手段に記憶されたユーザジャンルに属するディスク識別子を検索対象としてディスク識別子の検索が行われることを特徴とする光ディスク再生装置。
【請求項３】
前記複数のジャンルの各々についての計数値が記憶されるとともに、視聴制限レベルの取得が行われたときには、視聴制限レベルが取得された光ディスクが属するジャンルに対応する計数値が更新されるジャンルカウンタを備え、
ジャンルカウンタの計数値が所定値を超えたジャンルに属するディスク識別子と、ジャンル記憶手段に記憶させたユーザジャンルに属するディスク識別子とを検索対象としてデータベースの検索が行われることを特徴とする請求項２記載の光ディスク再生装置。
【請求項４】
データベースから視聴制限レベルの取得を行った光ディスクのディスク識別子を記憶する識別子記憶手段を備え、
ジャンルカウンタは、識別子記憶手段に記憶されていないディスク識別子に対応する視聴制限レベルが取得されたときには計数値が更新され、識別子記憶手段に記憶されているディスク識別子に対応する視聴制限レベルが取得されたときには計数値が更新されず、
識別子記憶手段へのディスク識別子の記憶は、ジャンルカウンタの計数値の更新の後に行われることを特徴とする請求項３記載の光ディスク再生装置。
【請求項５】
ディスク識別子のそれぞれに対応して視聴フラグが設けられ、データベースから視聴制限レベルの取得を行った光ディスクの視聴フラグには、視聴制限レベルの取得を行ったことを示すレベル取得済値が設定され、
ジャンルカウンタは、視聴フラグにレベル取得済値が設定されていないディスク識別子に対応する視聴制限レベルが取得されたときには計数値が更新され、視聴フラグにレベル取得済値が設定されたディスク識別子に対応する視聴制限レベルが取得されたときには計数値が更新されず、
視聴フラグへのレベル取得済値の設定は、ジャンルカウンタの計数値の更新の後に行われることを特徴とする請求項３記載の光ディスク再生装置。
【発明の詳細な説明】
【技術分野】
【０００１】
本発明は、パレンタルレベル等のような視聴制限レベルをタイトル等のような光ディスクを識別するディスク識別子に対応付けて記憶したデータベースを参照することによって、再生位置にある光ディスクに設定された視聴制限レベルを取得する光ディスク再生装置に関するものである。
【背景技術】
【０００２】
市場にはパレンタルレベルが設定されていないＤＶＤも数多く提供されている。このようなＤＶＤについても、視聴制限を行うことを可能にする従来技術が提案されている（第１の従来技術とする）。すなわち、この技術においては、視聴結果に基づいてユーザが設定した視聴制限レベルを、タイトルに対応付けてＥＥＰＲＯＭに記憶している。そして、ＤＶＤの再生を行う場合には、ＥＥＰＲＯＭを検索することによって、再生しようとするＤＶＤのタイトルに対応する視聴制限レベルを読み出している。そして、読み出した視聴制限レベルと装置側に設定された視聴制限レベルとを比較することによって、ＤＶＤの再生が許可されているかどうかを判定し、許可されているときには通常の再生を行い、許可されていないときにはスクランブル処理等を行うことによって、視聴できないようにしている（例えば、特許文献１参照）。
【０００３】
また、本願出願人により、以下に示す従来技術が提案されている（第２の従来技術とする）。すなわち、この技術においては、パレンタル領域の開始地点および終了地点（ユーザにより設定される地点）のそれぞれのアドレスデータを、開始リジューム情報および終了リジューム情報として、そのＤＶＤの基本ボリューム記述子データおよびパレンタル処理の許可／非許可データとともに、ＥＥＰＲＯＭに記憶している。そして、再生となるときには、再生しようとするＤＶＤの基本ボリューム記述子データを読み取った後、ＥＥＰＲＯＭを検索することによって、再生しようとする基本ボリューム記述子データに対応するパレンタル処理の許可／非許可データと、開始リジューム情報および終了リジューム情報とを取得する。そして、許可／非許可データが許可を示す場合、パレンタル領域の開始地点までは通常通りに再生を行う。そして、パレンタル領域の開始地点まで再生したときには、パレンタル領域の終了地点までジャンプし、終了地点から再生を再び開始する。すなわち、パレンタル領域に設定されていない領域については通常通りの再生を行い、パレンタル領域に設定された領域については、飛び越しを行っている（例えば、特許文献２参照）。
【０００４】
【特許文献１】特開２０００−２８７１５５号公報
【特許文献２】特開２００３−６１０４９号公報
【発明の開示】
【発明が解決しようとする課題】
【０００５】
しかしながら第１の従来技術を用いる場合にも、以下に示す問題を生じていた。すなわち、ＤＶＤを入手するごとにパレンタルレベルを設定して記憶させる操作は面倒な操作となるため、パレンタルレベルをユーザの側で設定しなくて、多数のユーザにとって使用可能となるような、汎用的なデータベースを構築することが考えられる。つまり、一般に提供されている極めて多数のＤＶＤについて、パレンタルレベルを管理する協会等を設置し、この協会の管理のもとで、パレンタルレベルを記憶したデータベースの運用を行うとする。このときでは、データベースに記憶されるタイトルの総数は数１０万といったような値となる。一方、第１の従来技術におけるデータベースは、タイトルとパレンタルレベルとを互いに対応付けて記憶するに過ぎない構成となっている。このため、タイトルに対応付けられたパレンタルレベルを取得しようとする場合、極めて多数のタイトルを検索対象として、再生しようとするＤＶＤのタイトル検索を行うことになる。その結果、該当するタイトルを検索してパレンタルレベルを取得するには時間を要することになり、使い勝手の悪いものとなる。
【０００６】
第２の従来技術は、パレンタル領域が設定されている場合には、設定されたパレンタル領域を飛び越えて再生する技術となっている。このため、第１の従来技術において生じた問題（パレンタルレベルを取得するのに要する時間が長くなるという問題）を解決しようとする観点からは、適用することが困難な技術となっている。
【０００７】
本発明は、上記の問題点を解決するため創案されたものであり、その目的は、タイトルのそれぞれ毎に視聴制限レベル（パレンタルレベル）が記憶されたデータベースを検索して視聴制限レベルを取得するときに、データベースを検索するときの所要時間を短くすることのでき、且つ、良く視聴するとしてユーザが設定したジャンルとは異なるジャンルの光ディスクを再生するときであっても、そのジャンルを良く視聴するときでは、データベースを検索して視聴制限レベルを取得するときに、データベースを検索するときの所要時間を短くすることのでき、且つ、データベースを検索するときの所要時間が不要に長くなることを回避することのでき、且つ、データベースが通信回線を介して接続された場合に好適となる光ディスク再生装置を提供することにある。
【０００８】
また本発明の目的は、データベースを参照して再生位置にある光ディスクの視聴制限レベルが取得されるときには、データベースにおいては、ユーザが良く視聴するとして設定したジャンルに属するディスク識別子を検索対象としてディスク識別子の検索が行われるようにすることで、タイトルのそれぞれ毎に視聴制限レベルが記憶されたデータベースを検索して視聴制限レベルを取得するときに、データベースを検索するときの所要時間を短くすることのできる光ディスク再生装置を提供することにある。
【０００９】
また上記目的に加え、複数のジャンルの各々についての計数値が記憶されるとともに、視聴制限レベルの取得が行われたときには、視聴制限レベルが取得された光ディスクが属するジャンルに対応する計数値が更新されるジャンルカウンタを備え、ジャンルカウンタの計数値が所定値を超えたジャンルに属するディスク識別子と、ジャンル記憶手段に記憶させたユーザジャンルに属するディスク識別子とを検索対象としてデータベースの検索が行われるようにすることで、良く視聴するとしてユーザが設定したジャンルとは異なるジャンルの光ディスクを再生するときであっても、そのジャンルを良く視聴するときでは、データベースを検索して視聴制限レベルを取得するときに、データベースを検索するときの所要時間を短くすることのできる光ディスク再生装置を提供することにある。
【００１０】
また上記目的に加え、同一の光ディスクの視聴回数が増加するときにも、検索対象に設定されるジャンルが不要に増加することを回避することにより、データベースを検索するときの所要時間が不要に長くなることを回避することのできる光ディスク再生装置を提供することにある。
【課題を解決するための手段】
【００１１】
上記の課題を解決するため、本発明に係る光ディスク再生装置は、視聴制限レベルをタイトル等のような光ディスクを識別するディスク識別子に対応付けて記憶したデータベースがインターネット等の一般ユーザに使用可能な通信経路を介して接続され、前記データベースを参照することによって再生位置にある光ディスクに設定された視聴制限レベルを取得するとともに、取得した視聴制限レベルが再生を許可されたレベルとなるときには光ディスクを再生して得られた再生信号を出力し、前記取得した視聴制限レベルが再生を禁止されたレベルとなるときには再生信号を出力しない光ディスク再生装置に適用している。そして、データベースにおいては、ディスク識別子は複数のジャンルのうちのどのジャンルに属するのかが示されている。且つ、前記複数のジャンルのうちからユーザによって選択されたジャンルであるユーザジャンルを記憶するジャンル記憶手段と、前記複数のジャンルの各々についての計数値が記憶されるとともに、視聴制限レベルの取得が行われたときには、視聴制限レベルが取得された光ディスクが属するジャンルに対応する計数値が更新されるジャンルカウンタと、データベースから視聴制限レベルの取得を行った光ディスクのディスク識別子を記憶する識別子記憶手段とを備えており、データベースを参照して再生位置にある光ディスクの視聴制限レベルが取得されるときには、データベースにおいては、ジャンルカウンタの計数値が所定値を超えたジャンルに属するディスク識別子とジャンル記憶手段に記憶されたユーザジャンルに属するディスク識別子とを検索対象としてディスク識別子の検索が行われ、ジャンルカウンタは、識別子記憶手段に記憶されていないディスク識別子に対応する視聴制限レベルが取得されたときには計数値が更新され、識別子記憶手段に記憶されているディスク識別子に対応する視聴制限レベルが取得されたときには計数値が更新されず、識別子記憶手段へのディスク識別子の記憶は、ジャンルカウンタの計数値の更新の後に行われるようになっている。
【００１２】
すなわち、ユーザが良く視聴するとして設定したジャンルに属するディスク識別子のみが検索対象となるので、検索対象となるディスク識別子の数が少なくなる。且つ、ユーザジャンルに設定していないジャンルであっても、そのジャンルを良く視聴するときでは、視聴制限レベルを取得するときの検索対象のジャンルに設定される。且つ、同じ光ディスクを繰り返して視聴するときにも、ジャンルカウンタの値は１回しか更新されない。
【００１３】
また本発明に係る光ディスク再生装置は、視聴制限レベルをタイトル等のような光ディスクを識別するディスク識別子に対応付けて記憶したデータベースを参照することによって再生位置にある光ディスクに設定された視聴制限レベルを取得するとともに、取得した視聴制限レベルが再生を許可されたレベルとなるときには光ディスクを再生して得られた再生信号を出力し、前記取得した視聴制限レベルが再生を禁止されたレベルとなるときには再生信号を出力しない光ディスク再生装置に適用している。そして、データベースにおいては、ディスク識別子は複数のジャンルのうちのどのジャンルに属するのかが示されている。且つ、前記複数のジャンルのうちからユーザによって選択されたジャンルであるユーザジャンルを記憶するジャンル記憶手段を備え、データベースを参照して再生位置にある光ディスクの視聴制限レベルが取得されるときには、データベースにおいては、ジャンル記憶手段に記憶されたユーザジャンルに属するディスク識別子を検索対象としてディスク識別子の検索が行われるようになっている。
【００１４】
すなわち、ユーザが良く視聴するとして設定したジャンルに属するディスク識別子のみが検索対象となるので、検索対象となるディスク識別子の数が少なくなる。
【００１５】
また上記構成に加え、前記複数のジャンルの各々についての計数値が記憶されるとともに、視聴制限レベルの取得が行われたときには、視聴制限レベルが取得された光ディスクが属するジャンルに対応する計数値が更新されるジャンルカウンタを備えており、ジャンルカウンタの計数値が所定値を超えたジャンルに属するディスク識別子と、ジャンル記憶手段に記憶させたユーザジャンルに属するディスク識別子とを検索対象としてデータベースの検索が行われるようになっている。すなわち、ユーザジャンルに設定していないジャンルであっても、そのジャンルを良く視聴するときでは、視聴制限レベルを取得するときの検索対象のジャンルに設定される。
【００１６】
また上記構成に加え、データベースから視聴制限レベルの取得を行った光ディスクのディスク識別子を記憶する識別子記憶手段を備えており、ジャンルカウンタは、識別子記憶手段に記憶されていないディスク識別子に対応する視聴制限レベルが取得されたときには計数値が更新され、識別子記憶手段に記憶されているディスク識別子に対応する視聴制限レベルが取得されたときには計数値が更新されず、識別子記憶手段へのディスク識別子の記憶は、ジャンルカウンタの計数値の更新の後に行われるようになっている。すなわち、同じ光ディスクを繰り返して視聴するときにも、ジャンルカウンタの値は１回しか更新されない。
【００１７】
また上記構成に加え、ディスク識別子のそれぞれに対応して視聴フラグが設けられ、データベースから視聴制限レベルの取得を行った光ディスクの視聴フラグには、視聴制限レベルの取得を行ったことを示すレベル取得済値が設定され、ジャンルカウンタは、視聴フラグにレベル取得済値が設定されていないディスク識別子に対応する視聴制限レベルが取得されたときには計数値が更新され、視聴フラグにレベル取得済値が設定されたディスク識別子に対応する視聴制限レベルが取得されたときには計数値が更新されず、視聴フラグへのレベル取得済値の設定は、ジャンルカウンタの計数値の更新の後に行われるようになっている。すなわち、同じ光ディスクを繰り返して視聴するときにも、ジャンルカウンタの値は１回しか更新されない。
【発明の効果】
【００１８】
本発明によれば、データベースは通信経路を介して接続された構成となっている。且つ、ユーザが良く視聴するとして設定したジャンルであるユーザジャンルに属するディスク識別子のみが検索対象となるので、検索対象となるディスク識別子の数が少なくなる。且つ、ジャンルカウンタを設けて、ユーザが良く視聴するジャンルを検出している。このため、ユーザジャンルに設定していないジャンルであっても、そのジャンルを良く視聴するときでは、視聴制限レベルを取得するときの検索対象のジャンルに設定されるようになっている。且つ、同じ光ディスクを繰り返して視聴するときにも、ジャンルカウンタの値は１回しか更新されないようになっている。このため、タイトルのそれぞれ毎に視聴制限レベルが記憶されたデータベースを検索して視聴制限レベルを取得するときに、データベースを検索するときの所要時間を短くすることができ、且つ、良く視聴するとしてユーザが設定したジャンルとは異なるジャンルの光ディスクを再生するときであっても、そのジャンルを良く視聴するときでは、データベースを検索して視聴制限レベルを取得するときに、データベースを検索するときの所要時間を短くすることができ、且つ、データベースを検索するときの所要時間が不要に長くなることを回避することができ、且つ、データベースが通信回線を介して接続された場合に好適に動作させることができる。
【００１９】
また本発明によれば、ユーザが良く視聴するとして設定したジャンルであるユーザジャンルに属するディスク識別子のみが検索対象となるので、検索対象となるディスク識別子の数が少なくなる。このため、タイトルのそれぞれ毎に視聴制限レベルが記憶されたデータベースを検索して視聴制限レベルを取得するときに、データベースを検索するときの所要時間を短くすることができる。
【００２０】
またさらに、ジャンルカウンタを設けて、ユーザが良く視聴するジャンルを検出しているので、ユーザジャンルに設定していないジャンルであっても、そのジャンルを良く視聴するときでは、視聴制限レベルを取得するときの検索対象のジャンルに設定される。このため、良く視聴するとしてユーザが設定したジャンルとは異なるジャンルの光ディスクを再生するときであっても、そのジャンルを良く視聴するときでは、データベースを検索して視聴制限レベルを取得するときに、データベースを検索するときの所要時間を短くすることができる。
【００２１】
またさらに、同じ光ディスクを繰り返して視聴するときにも、ジャンルカウンタの値は１回しか更新されないので、同一の光ディスクの視聴回数が増加するときにも、検索対象に設定されるジャンルが不要に増加することが回避されるため、データベースを検索するときの所要時間が不要に長くなることを回避することができる。
【発明を実施するための最良の形態】
【００２２】
以下、本発明の実施の形態について図を参照して説明する。
【実施例１】
【００２３】
図１は、本発明に係る光ディスク再生装置の第１の実施形態の電気的構成を示すブロック線図であり、ＤＶＤ再生装置を示している。
【００２４】
図において、ピックアップ９は、ＣＬＶとなるように、スピンドルモータ８によって回転駆動されるＤＶＤ（光ディスク）７からデータを読み取る。そして、読み取ったデータを示す信号を信号処理部２に出力する。サーボ制御部１０は、信号処理部２から出力されるトラッキングエラー信号とフォーカスエラー信号とに基づいて、ピックアップ９のトラッキングとフォーカシングとのサーボ制御を行う。また、信号処理部２から出力されるクロックに基づいて、スピンドルモータ８の回転速度を制御する。
【００２５】
信号処理部２は、ピックアップ９より出力される信号から、トラッキングエラー信号とフォーカスエラー信号とを生成してサーボ制御部１０に出力する。また、ピックアップ９より出力される信号からクロックを生成してサーボ制御部１０に出力する。また、生成したクロックを用いてデジタルデータを取り出す。そして後、取り出されたデジタルデータを、符号化前のデータに復号する。次いで、復号されたデータのエラー訂正を行った後、エラー訂正したデータをデコーダ部３に出力する。
【００２６】
デコーダ部３は、信号処理部２から出力されるデータのうちのビデオストリームやオーディオストリームを伸長した後、アナログの映像信号や音声信号に変換してテレビ受像機３１に出力する。また、信号処理部２から出力されるデータのうち、字幕を示すデータであるサブタイトルストリームについては、伸長した後、文字信号に変換して、映像信号に重畳する。また、オンスクリーンディスプレイ部（ＯＳＤ部）２０を用いて、必要となる情報を表示するための文字等を示す信号を映像信号に重畳する。また、信号処理部２より出力されるデータから、タイトルを示すデータ（光ディスクを識別するディスク識別子）を取り出してマイクロコンピュータ４に送出する。
【００２７】
入力部５は、装置本体の前面パネルに設けられた複数のキースイッチ（図示を省略）や、リモートコントローラ６から送信される赤外線信号を受光する受光ユニット（図示を省略）等を備えており、ユーザからの指示が入力される。そして、入力されたユーザからの指示をマイクロコンピュータ４に送出する。通信手段１１は、一般ユーザが使用可能であるインターネット等の通信経路１１１を介して、データベース１２を検索する。すなわち、通信経路１１１を介して、データベース１２に、タイトルを示すデータ、ジャンルを示すデータを送信する。また、データベース１２から送信される視聴制限レベルやジャンルを示すデータを受信し、マイクロコンピュータ４に出力する。
【００２８】
データベース１２は、例えば、視聴制限レベルを管理する協会等に設置されるデータベースであり、インターネット等の通信経路１１１を介して、ユーザの元に設けられる装置本体１に接続される。そして、その内部には、パレンタルレベルが設定されていないＤＶＤを対象として、協会やユーザ等によって設定された視聴制限レベル（パレンタルレベルに相当する）が、ＤＶＤのタイトル（ディスク識別子）に対応付けて記憶されている。また、タイトルのそれぞれは、どのジャンルに属するのかが示されるようになっている。
【００２９】
詳細には、図２に示したように、タイトルとジャンルと視聴制限レベルとの３つのデータが、対応する形式でもって記憶されている。すなわち、タイトルのそれぞれは、複数のジャンルのうちのどのジャンルに属するのかが、ジャンルを示すデータ１２１によって示されるようになっている。また、タイトルのそれぞれには、設定された視聴制限レベルが対応付けられている。なお、ジャンルの数は１０となっており、ジャンルを示すデータは、どのジャンルに属しているのかの判定を簡単化するため、例えば、『アニメ』は数値０、『戦争』は数値１といったように、０〜９の数値でもって示されている。
【００３０】
このため、データベース１２は、通信手段１１と通信経路１１１とを介して、タイトルとジャンルを示すデータとを与えられると、該当するジャンルに属するタイトルのみを検索対象として、タイトルの検索を行う。そして、該当するタイトルを検出したときには、そのタイトルに対応付けて記憶された視聴制限レベルと、そのタイトルが属しているジャンルを示すデータとを、通信経路１１１を介して、通信手段１１に送信する。
【００３１】
マイクロコンピュータ４は、ＤＶＤ再生装置としての主要動作を制御するためのブロックとなっており、信号処理部２の動作、および、デコーダ部３の動作を制御する。また、ＤＶＤ７が、パレンタルレベルが設定されていないディスクであるときには、データベース１２を参照することによって、ＤＶＤ７の視聴制限レベルを取得する。そして、取得した視聴制限レベルを、予めユーザによって設定された装置側レベルと比較することでもって、ＤＶＤ７の再生が許可されているかどうかを調べる。
【００３２】
そして、ＤＶＤ７の再生が許可されているときには、ＤＶＤ７を再生して得られた映像信号と音声信号とをテレビ受像機３１に出力する。一方、再生が許可されていないときでは、ＤＶＤ７の再生を中止する。このため、マイクロコンピュータ４には、その機能の一部でもって、ジャンルカウンタ２１、ジャンル記憶手段２２、識別子記憶手段２３が構成されている。
【００３３】
詳細に説明すると、ジャンル記憶手段２２は、上記した１０のジャンルのうち、ユーザによって選択された任意数のジャンル（ユーザジャンル）を記憶する。すなわち、ユーザのよく見るＤＶＤのジャンルが『アクション』と『戦争』とであることから、１０のジャンルのうち、『アクション』と『戦争』とをユーザが選択すると、ジャンル記憶手段２２は、『アクション』を示すデータと『戦争』を示すデータとを、ユーザジャンルを示すデータとして内部に記憶する。
【００３４】
ジャンルカウンタ２１は、ジャンルのそれぞれにおいて、ユーザにより視聴されたＤＶＤのタイトルの数を計数するカンウタとなっている。このため、図３に示したように、１０のジャンルのそれぞれに対応して、タイトル数の計数値（データベース１２に記憶された視聴制限レベルを取得したＤＶＤのタイトルの数）が格納されるようになっている（後に詳述する）。
【００３５】
識別子記憶手段２３は、データベース１２を参照することによって視聴制限レベルを取得したタイトル（ディスク識別子）を記憶する。すなわち、図４に示したように、視聴制限レベルを取得したＤＶＤのタイトルが内部に記憶されるようになっている。従って、現在再生位置にあるＤＶＤ７のタイトルが、この内部に記憶されている場合では、再生位置にあるＤＶＤ７は、既に、少なくとも一度は、データベース１２を参照して、視聴制限レベルを取得したＤＶＤであることが判明する。
【００３６】
上記したように、マイクロコンピュータ４には、ジャンルカウンタ２１、ジャンル記憶手段２２、および、識別子記憶手段２３が設けられている。このため、マイクロコンピュータ４は、再生位置にあるＤＶＤ７の視聴制限レベルを取得するときには、ジャンル記憶手段２２に記憶されたジャンル（ユーザジャンル）を示すデータと、ジャンルカウンタ２１において計数値が所定値を超えているジャンルを示すデータと、再生位置にあるＤＶＤ７のタイトルを示すデータとをデータベース１２に送信する。
【００３７】
そして、上記動作に対応して、データベース１２から視聴制限レベルとジャンルを示すデータとが送信されると、送信された視聴制限レベルとジャンルを示すデータとを内部に記憶する。次いで、再生位置にあるＤＶＤ７のタイトルが識別子記憶手段２３に記憶されているかどうかを調べる。
【００３８】
ＤＶＤ７のタイトルが識別子記憶手段２３に記憶されていない場合には、ジャンルカウンタ２１の該当するジャンル（データベース１２から送信されたジャンル）の計数値を１つ増加させる。そして後、再生位置にあるＤＶＤ７のタイトルを、識別子記憶手段２３に記憶する。一方、ＤＶＤ７のタイトルが識別子記憶手段２３に記憶されている場合には、ジャンルカウンタ２１の計数値を増加させない。
【００３９】
図５は、ＤＶＤの再生を開始するときの実施形態の主要動作を示すフローチャート、図６は、データベースを参照して視聴制限レベルを取得するときの実施形態の主要動作を示すフローチャートである。必要に応じてこれらの図を参照しつつ、実施形態の動作を説明する。
【００４０】
ユーザは、実施形態の使用に先立ち、初期設定の画面（図示を省略）を用いて、視聴制限を行うかどうかということと、視聴制限を行うときのレベルを設定する。いま、視聴制限を行うことが選択され、且つ、視聴制限のレベルが設定されたとする。このときに設定されたレベルは、装置側レベルとして、マイクロコンピュータ４に記憶される。
【００４１】
また、良く視聴するＤＶＤのジャンルを、初期設定の画面を用いて設定する。すなわち、リモートコントローラ６等を用いて、ジャンル設定のメニューを選択すると、図７に示す画面がテレビ受像機３１に表示される。この画面においては、データベース１２のジャンル分けに一致する１０のジャンルが表示されるので、ユーザは、この１０のジャンルから、良く視聴するＤＶＤのジャンルを選択する（複数のジャンルを選択することが可能になっている）。
【００４２】
すなわち、図７に示す画面が表示されているとき、選択したいジャンルにカーソルを移動させた後、決定キー（図示を省略）を操作すると、カーソルに対応するジャンルの表示色が変更され、選択されたことが示される。従って、良く視聴するジャンルが、例えば、『戦争』と『アクション』とであるときには、『戦争』を選択する。また、『アクション』を選択する。そして、これら２つのジャンルの選択を終了したときには、『ＯＫ』ボタンにカーソルを移動させて決定キーを操作する。マイクロコンピュータ４は、前記操作が行われると、ジャンルの『戦争』と『アクション』とを内部に記憶する。
【００４３】
以上の初期設定が終了した後において、ＤＶＤ７が再生位置にセットされたとする（ステップＳ１）。マイクロコンピュータ４は、再生位置にあるＤＶＤ７からタイトルを読み取り、内部に記憶する（ステップＳ２）。次いで、マイクロコンピュータ４は、視聴制限を行うように設定されているかどうかを調べる。そして、視聴制限を行わない設定となっているときには、動作は、ステップＳ３からステップＳ９に移行して、ＤＶＤ７の再生を行い、再生信号をテレビ受像機３１に出力させる。
【００４４】
一方、視聴制限を行う設定になっているときでは、動作をステップＳ３からステップＳ４に移行して、ＤＶＤ７にパレンタルレベルが設定されているかどうかを調べる。ＤＶＤ７にパレンタルレベルが設定されていない場合、動作はステップＳ５からステップＳ６に移行する。このため、マイクロコンピュータ４は、データベース１２を参照することによって、ＤＶＤ７の視聴制限レベルを取得し、記憶する（このステップＳ６により示される視聴制限レベルの取得動作については、後に詳述する）。
【００４５】
次いで、マイクロコンピュータ４は、取得して記憶した視聴制限レベルと、予め設定された装置側レベルとを比較することによって、ＤＶＤ７の再生が許可されているかどうかを調べる（ステップＳ７）。すなわち、（装置側レベル≧視聴制限レベル）であるなら、許可されていると判定し、（装置側レベル＜視聴制限レベル）であるなら、許可されていないと判定する。
【００４６】
そして、許可されていると判定したときには、ＤＶＤ７を再生するための制御を行うことによって、ＤＶＤ７を再生して得られた再生信号をテレビ受像機３１に出力する（ステップＳ８，Ｓ９）。一方、許可されていないと判定したときには、ＤＶＤ７の再生を中止し、図９に示すメッセージをテレビ受像機３１に表示する（ステップＳ１０）。
【００４７】
なお、ＤＶＤ７が、パレンタルレベルが設定されている光ディスクの場合、動作はステップＳ５からステップＳ１１に移行し、ＤＶＤ７に設定されているパレンタルレベルと装置側レベルとが比較される。そして、比較結果が再生の許可を示すときには、ＤＶＤ７を再生して得られた再生信号をテレビ受像機３１に出力する（ステップＳ１１，Ｓ８，Ｓ９）。一方、再生が許可されていないときには、ＤＶＤ７の再生を中止し、図９に示すメッセージをテレビ受像機３１に表示する（ステップＳ１１，Ｓ８，Ｓ１０）。
【００４８】
以下に、データベース１２を参照して視聴制限レベルを取得するステップＳ６の動作について、詳細に説明する。
【００４９】
データベース１２を検索して視聴制限レベルを取得する場合、マイクロコンピュータ４は、良く見るＤＶＤのジャンル（ユーザジャンル）がユーザにより設定されているかどうかを調べる（ステップＳ２１）。このときでは、ジャンルが設定されているので、マイクロコンピュータ４は、ジャンルカウンタ２１において、計数値が所定値（例えば、値２０）を超えているジャンルがあるかどうかを調べる（ステップＳ２２〜Ｓ２４）。
【００５０】
いま、ジャンルカウンタ２１のジャンルのそれぞれにおける計数値が図３に示す値になっているとする。すなわち、『アクション』と『ドラマ』との計数値が値２０を超えているとする。このときでは、マイクロコンピュータ４は、『アクション』と『ドラマ』との２つのジャンルを、検索対象として追加するジャンルと見なす。つまり、マイクロコンピュータ４は、ユーザにより選択された２つのジャンル（『戦争』と『アクション』）に、計数値が所定値を超えた２つのジャンル（『アクション』と『ドラマ』）を追加する。但し、『アクション』が双方にあるので、マイクロコンピュータ４は、『戦争』、『アクション』、『ドラマ』の３つのジャンルを検索対象のジャンルに設定する。
【００５１】
検索対象とするジャンルの設定が終了すると、マイクロコンピュータ４は、『戦争』、『アクション』、『ドラマ』の３つのジャンルを示すデータと、ＤＶＤ７のタイトルを示すデータとを、通信手段１１を介して、データベース１２に送信する。これらのデータを受信したデータベース１２の側では、『戦争』、『アクション』、『ドラマ』の３つのジャンルのそれぞれに属するタイトルを検索対象として、ＤＶＤ７のタイトルに一致するタイトルが記憶されているかどうかが調べられる（ステップＳ２５）。
【００５２】
データベース１２の側では、該当するタイトルを見つかると、見つかったタイトルに対応付けられた視聴制限レベルと、見つかったタイトルが属していたジャンルを示すデータとを、マイクロコンピュータ４の側に送信する。マイクロコンピュータ４は、データベース１２から送信された視聴制限レベルとジャンルを示すデータとを受信し、内部に記憶する（ステップＳ２６，Ｓ２７）。
【００５３】
次いで、マイクロコンピュータ４は、ＤＶＤ７のタイトルが、識別子記憶手段２３に既に記憶されているかどうかを調べる。記憶されている場合では、ＤＶＤ７は、既に再生したことのあるＤＶＤ（視聴制限レベルを取得したことのあるＤＶＤ）であるため、ジャンルカウンタ２１の更新の必要がないとして、動作を終了する（ステップＳ２８）。以後では、図５に示すステップＳ７の動作となる。
【００５４】
一方、ＤＶＤ７のタイトルが識別子記憶手段２３に記憶されていない場合、ＤＶＤ７は新しいタイトルのＤＶＤであり、ジャンルカウンタ２１の計数値の更新が必要であると判定する。このため、マイクロコンピュータ４は、ジャンルカウンタ２１において、データベース１２から送信されて内部に記憶したジャンル（ＤＶＤ７が属するジャンル）に対応する計数値を１つ増加させる（ステップＳ２８，Ｓ２９）。そして後、ＤＶＤ７が視聴制限レベルを取得したことのあるＤＶＤとなるため、ＤＶＤ７のタイトルを識別子記憶手段２３に記憶させる（ステップＳ３０）。以後では、図５に示すステップＳ７の動作となる。
【００５５】
なお、ステップＳ２３，Ｓ２４の判定動作において、ジャンルカウンタ２１の計数値の全てが所定値以下の場合、マイクロコンピュータ４は、ユーザジャンルのみを検索対象のジャンルに設定する。すなわち、『戦争』と『アクション』との２つのジャンルのみを検索対象のジャンルに設定する。このため、データベース１２の側では、『戦争』と『アクション』との２つのジャンルのそれぞれに属するタイトルを検索対象として、ＤＶＤ７のタイトルが記憶されているかどうかが調べられることになる（ステップＳ３１）。
【００５６】
なお、データベース１２に対して、検索対象となるジャンルを示すデータとタイトルを示すデータとを送信して検索を行った（ステップＳ２５の動作あるいはステップＳ３１の動作を行った）とき、該当するタイトルが見つからなかった場合（データベース１２から該当するタイトル無しの返答が送信された場合）、動作は、ステップＳ２６からステップＳ３２に移行する。
【００５７】
ステップＳ３２に移行すると、マイクロコンピュータ４は、全ジャンルを検索対象として、ＤＶＤ７のタイトルを検索させるための指示をデータベース１２に送信する。この指示に従って検索したデータベース１２の側において、該当するタイトルが見つかったときには、動作は、ステップＳ３３からステップＳ２７に移行する。すなわち、データベース１２は、マイクロコンピュータ４に対して、ＤＶＤ７の視聴制限レベルと、ＤＶＤ７が属するジャンルとを送信する。そして後には、ステップＳ２８以降に続く動作が実行される。
【００５８】
なお、全ジャンルを検索対象として、ＤＶＤ７のタイトルを検索したときにも、該当するタイトルが見つからなかった場合、動作は、ステップＳ３２，Ｓ３３から、視聴制限レベルとジャンルとをデータベース１２の側に登録するステップＳ３４の動作に移行する。マイクロコンピュータ４は、ステップＳ３４に移行すると、テレビ受像機３１に、図８に示す登録画面の表示を行う。
【００５９】
登録画面におけるタイトルの欄には、ＤＶＤ７から読み取ったタイトルが表示される。従って、ユーザは、設定レベルの欄に表示された１〜８の数値のうち、設定したい視聴制限レベルの数値を、カーソルを用いて選択する。また、ジャンルの欄に表示された１０のジャンルのうちから、ＤＶＤ７が属するジャンルをカーソルを用いて選択する。これらの選択が終了すると、登録ボタンにカーソルを移動し、決定キーを操作する。決定キーを操作すると、このときのＤＶＤ７のタイトルに対応付ける形で、選択された視聴制限レベルと選択されたジャンルとが、データベース１２に送信され、記憶される（ステップＳ３４）。
【００６０】
なお、ユーザジャンルが設定されていなかった場合では、動作は、ステップＳ２２からステップＳ３２に移行する。すなわち、マイクロコンピュータ４は、ユーザジャンルが設定されていないことが判明すると、全ジャンルを検索対象として、ＤＶＤ７のタイトルを検索する指示をデータベース１２に送信する。従って、このときでは、検索に要する時間が長くなる確率が高まる。
【００６１】
以下に補足的な説明を行うと、ジャンルカウンタ２１のジャンルのそれぞれにおける計数値は、ＤＶＤ７が、初めて視聴制限レベルを取得するＤＶＤとなるときにのみ更新される。つまり、同じＤＶＤを複数回視聴したときには、２回目以降の視聴時には計数値が更新されない。従って、計数値は、ユーザがジャンルのそれぞれにおいて視聴したＤＶＤの視聴回数ではなく、ジャンルのそれぞれにおいて視聴したＤＶＤの種類数（タイトル数）を示すことになる。
【００６２】
その結果、シリーズ１、シリーズ２、シリーズ３と、シリーズ化されたＤＶＤを視聴する場合において、シリーズ３を視聴するとき、シリーズ１やシリーズ２を既に複数回視聴しているにもかかわらず、忘れていたストーリを思い出すために、再度、シリーズ１、シリーズ２と視聴した後に、シリーズ３を視聴するような事態が生じるときにも、計数値は、単に３つ更新されるに過ぎない。
【００６３】
すなわち、少ない種類のＤＶＤを視聴しているに過ぎない場合においては、対応するジャンルの計数値が不要に更新されて、検索対象のジャンルに設定されてしまうという事態が回避される。これは、検索対象として設定するジャンルの数が少ない方が、データベース１２における検索の所要時間が短くなる。従って、計数値をタイトル数を示すようにすると、ジャンルの計数値が不要に更新されることが防止される。このため、検索対象となるジャンルの数が不要に増加するという事態が回避される。その結果、検索時間が不要に長くなることが防止される。
【実施例２】
【００６４】
次に、本発明の第２の実施形態について説明する。
図１０は、第２の実施形態の電気的構成を示すブロック線図であり、図１における構成と同一となるブロックには、図１における符号と同一符号を付与し、説明を省略する。また、図１における構成と近似した構成となるブロックには、図１における符号の末尾に『ａ』を追加した符号とすることによって、図１における構成と近似した構成のブロックであることを示し、第１の実施形態との差異についてのみ説明を行う。
【００６５】
第１の実施形態では装置本体１の外部に設けられていたデータベース１２が、本実施形態では、装置本体１ａの内部に設けられたデータベース１３となっている。また、マイクロコンピュータ４ａには、第１の実施形態と同様に、ジャンルカウンタ２１とジャンル記憶手段２２とが設けられているが、識別子記憶手段２３は省略されている。
【００６６】
データベース１３は、記録媒体がハードディスクとなっており、例えば、インターネット等の通信経路を介して、図１に示したデータベース１２からデータをダウンロードする、あるいは、データベース１２に記憶されていたデータと同等のデータを記憶したＣＤーＲＯＭ等の光ディスクからデータを取得する、等の方法を用いることによって形成されている。
【００６７】
なお、データの構成は、図１１に示したように、タイトルとジャンルと視聴制限レベルとが対応付けられる形で記憶されるとともに、視聴フラグのエリアが設けられている。そして、この視聴フラグのエリアには、予め、値０が記憶されている。そして、ユーザが視聴を行って視聴制限レベルを取得したＤＶＤのタイトルに対応する視聴フラグには、レベル取得済値（値１）が記憶される。従って、視聴フラグのエリアを検索することで、どのＤＶＤが、少なくとも一度は視聴されたＤＶＤとなっているのかが判明する。
【００６８】
すなわち、第１の実施形態では、識別子記憶手段２３に記憶されたタイトルを読み取ることで、どのＤＶＤがユーザによって既に視聴されているのかが判明する構成となっていたのが、第２の実施形態では、視聴フラグの値がレベル取得済値（値１）になっているタイトルを読み取ることで、どのＤＶＤがユーザによって既に視聴されているのかが判明する構成となっている。このため、第１の実施形態において設けられていた識別子記憶手段２３は、第２の実施形態では不必要なため、省略されている。
【００６９】
図１２は、第２の実施形態における視聴制限レベルを取得するときの主要動作を示すフローチャートであり、第１の実施形態における動作と同一となるステップには、図６における符号と同一符号を付与し、説明を省略する。なお、ＤＶＤを再生するときの主要動作は、図５に示した動作と同一である。
【００７０】
以上のことから、第２の実施形態の動作については、視聴制限レベルの取得時の動作において、第１の実施形態と異なる内容のステップについてのみ、説明を行う。
【００７１】
ステップ４５における動作となる場合、すなわち、ユーザジャンル（『アクション』と『戦争』）が設定されており、且つ、ジャンルカウンタ２１に所定値を超えているジャンル（『アクション』と『ドラマ』）があることから、『アクション』と『戦争』と『ドラマ』とが検索対象となる場合、マイクロコンピュータ４ａは、データベース１３に記憶されたタイトルのうち、上記した３つのジャンルのそれぞれに属するタイトルのみを検索対象とする。そして、ＤＶＤ７のタイトルを検索できたときには、対応して記憶された視聴制限レベルとジャンルとを内部に記憶する（ステップＳ４５〜Ｓ４７）。
【００７２】
次いで、マイクロコンピュータ４ａは、見つかったＤＶＤ７のタイトルに対応する視聴フラグの値が０になっているかどうかを調べる。値１となっているときには、ＤＶＤ７は、既に再生したことのあるＤＶＤ（視聴制限レベルを取得したことのあるＤＶＤ）であるため、ジャンルカウンタ２１の更新の必要がないとして、動作を終了する（ステップＳ４８）。以後では、図５に示すステップＳ７の動作となる。
【００７３】
一方、ＤＶＤ７のタイトルに対応する視聴フラグの値が０となっている場合、ＤＶＤ７は新しいタイトルのＤＶＤであり、ジャンルカウンタ２１の計数値の更新が必要であると判定する。このため、マイクロコンピュータ４ａは、ジャンルカウンタ２１において、データベース１２から読み取って内部に記憶したジャンル（ＤＶＤ７が属するジャンル）に対応する計数値を１つ増加させる（ステップＳ４８，Ｓ２９）。そして後、ＤＶＤ７が視聴制限レベルを取得したことのあるＤＶＤとなるため、ＤＶＤ７のタイトルに対応する視聴フラグの値を、値０から値１に変更する（ステップＳ５０）。以後では、図５に示すステップＳ７の動作となる。
【００７４】
なお、ステップＳ２３，Ｓ２４の判定動作において、ジャンルカウンタ２１の計数値の全てが所定値以下の場合、マイクロコンピュータ４ａは、ユーザジャンルのみを検索対象のジャンルに設定する。すなわち、『戦争』と『アクション』との２つのジャンルのみを検索対象のジャンルに設定する。このため、マイクロコンピュータ４ａは、『戦争』と『アクション』との２つのジャンルのそれぞれに属するタイトルを検索対象として、データベース１３の検索を行う（ステップＳ５１）。
【００７５】
なお、データベース１３を検索したとき（ステップＳ４５の動作あるいはステップＳ５１の動作を行った）とき、該当するタイトルが見つからなかった場合には、動作は、ステップＳ４６からステップＳ５２に移行する。
【００７６】
ステップＳ５２に移行すると、マイクロコンピュータ４ａは、全ジャンルを検索対象として、データベース１３を検索する。そして、該当するタイトルが見つかったときには、動作は、ステップＳ５３からステップＳ４７に移行する。すなわち、マイクロコンピュータ４ａは、ＤＶＤ７の視聴制限レベルと、ＤＶＤ７が属するジャンルとをデータベース１３から読み取り、内部に記憶する。そして後には、ステップＳ４８以降に続く動作が実行される。
【００７７】
なお、全ジャンルを検索対象として、ＤＶＤ７のタイトルを検索したときにも、該当するタイトルが見つからなかった場合には、動作は、ステップＳ５２，Ｓ５３から、視聴制限レベルとジャンルとをデータベース１３に登録するステップＳ５４の動作に移行する。このため、テレビ受像機３１には、図８に示す登録画面が表示されるので、ユーザは、ＤＶＤ７の視聴制限レベルとジャンルとを選択して、ＤＶＤ７のタイトルに対応する視聴制限レベルとジャンルとをデータベース１３に登録する。
【００７８】
なお、ユーザジャンルが設定されていなかった場合では、動作は、ステップＳ２２からステップＳ５２に移行するので、マイクロコンピュータ４ａは、全ジャンルを検索対象として、データベース１３の検索を行う。
【００７９】
なお、本発明は上記実施形態に限定されず、データベース１３が格納されるハードウエアについては、ハードディスクとした場合について説明したが、ＥＥＰＲＯＭやフラッシュメモリ等の不揮発性メモリとすることもできる。
【００８０】
また、データベース１２、１３にタイトルを記録する方法については、記憶エリアをジャンル毎に分割し、分割したエリアのそれぞれに、対応するジャンルに属するタイトルを記憶する記憶方式とすることもできる（このときでは、検索対象として指示されたジャンル用の記憶エリア内において、タイトルを検索することになる）。
【００８１】
また、データベース１２については、インタネット等の一般ユーザが使用可能な通信経路１１１を介して装置本体１に接続される構成とした場合について説明したが、データベース１２を、個々のユーザあるいは特定範囲のユーザによって所有されるサーバコンピュータ等によって構成し、通信経路１１１を、個々のユーザ、あるいは特定範囲のユーザ内において使用可能な通信経路（例えば、ＬＡＮ等）とすることもできる。
【００８２】
また、ＤＶＤ再生装置に適用した場合について説明したが、少なくともディスク識別子と映像信号と音声信号とが記録されたその他の光ディスクを再生する装置（記録機能を併せ持った装置を含む）の場合にも、同様に適用することができる。
【図面の簡単な説明】
【００８３】
【図１】本発明に係る光ディスク再生装置の第１の実施形態の電気的構成を示すブロック線図である。
【図２】第１の実施形態におけるデータベースの構成を示す説明図である。
【図３】ジャンルカウンタの構成を示す説明図である。
【図４】識別子記憶手段の構成を示す説明図である。
【図５】ＤＶＤの再生を開始するときの実施形態の主要動作を示すフローチャートである。
【図６】データベースを参照して視聴制限レベルを取得するときの第１の実施形態の主要動作を示すフローチャートである。
【図７】ユーザジャンルを設定するときの画面を示す説明図である。
【図８】ユーザがデータベースに視聴制限レベルを登録するときの画面を示す説明図である。
【図９】再生が許可されなかったときの画面を示す説明図である。
【図１０】第２の実施形態の電気的構成を示すブロック線図である。
【図１１】第２の実施形態におけるデータベースの構成を示す説明図である。
【図１２】データベースを参照して視聴制限レベルを取得するときの第２の実施形態の主要動作を示すフローチャートである。
【符号の説明】
【００８４】
１，１ａ  装置本体
７  ＤＶＤ（光ディスク）
１２，１３  データベース
２１  ジャンルカウンタ
２２  ジャンル記憶手段
２３  識別子記憶手段
１１１  通信経路
Ｓ２５，Ｓ４５  ジャンルカウンタに基づくジャンルとユーザジャンルとを対象としてタイトルを検索するステップ
Ｓ３１，Ｓ５１  ユーザジャンルのみを対象としてタイトルを検索するステップ
【図１】
2005116059.tif 000003
【図２】
2005116059.tif 000004
【図３】
2005116059.tif 000005
【図４】
2005116059.tif 000006
【図５】
2005116059.tif 000007
【図６】
2005116059.tif 000008
【図７】
2005116059.tif 000009
【図８】
2005116059.tif 000010
【図９】
2005116059.tif 000011
【図１０】
2005116059.tif 000012
【図１１】
2005116059.tif 000013
【図１２】
2005116059.tif 000014